【手続補正書】
【提出日】平成18年7月21日(2006.7.21)
【手続補正１】
【補正対象書類名】明細書
【補正対象項目名】特許請求の範囲
【補正方法】変更
【補正の内容】
【特許請求の範囲】
【請求項１】
製本機能及びインサータ機能を有するプリンタを制御するための制御装置であって、
操作者による印刷指示が、前記製本機能及び前記インサータ機能の双方の機能を実行する指示か否かを判定する手段と、
前記双方の機能を実行する指示であった場合に、前記製本機能を実行可能な許容枚数と、前記インサータ機能により追加する用紙の枚数と、に基づいて、印刷上限枚数を算出する手段と、
前記印刷指示における印刷枚数が、前記印刷上限枚数を超過しているか否かを判定する手段と、
前記印刷枚数が前記印刷上限枚数を超過している場合に、操作者にこれを通知する手段と、
を備えたことを特徴とするプリンタの制御装置。
【請求項２】
製本機能及びインサータ機能を有するプリンタを制御するための制御装置であって、
操作者による印刷指示が、前記製本機能及び前記インサータ機能の双方の機能を実行する指示か否かを判定する手段と、
前記双方の機能を実行する指示であった場合に、前記製本機能を実行可能な許容枚数と、前記インサータ機能により追加する用紙の枚数と、に基づいて、印刷上限枚数を算出する手段と、
前記プリンタによって印刷する印刷枚数が、前記印刷上限枚数を超過しているか否かを判定する手段と、
前記印刷枚数が前記印刷上限枚数を超過している場合に、前記プリンタへの当該印刷指示に係る印刷命令の出力を中止する手段と、
を備えたことを特徴とするプリンタの制御装置。
【請求項３】
製本機能及びインサータ機能を有するプリンタを制御するための制御装置であって、
操作者による印刷指示が、前記製本機能及び前記インサータ機能の双方の機能を実行する指示か否かを判定する手段と、
前記双方の機能を実行する指示であった場合に、前記製本機能を実行可能な許容枚数と、前記インサータ機能により追加する用紙の枚数と、に基づいて、印刷上限枚数を算出する手段と、
前記プリンタによって印刷する印刷枚数が、前記印刷上限枚数を超過しているか否かを判定する手段と、
前記印刷枚数が前記印刷上限枚数を超過している場合に、前記印刷指示に係る印刷データを、複数に分割する手段と、
を備えたことを特徴とするプリンタの制御装置。
【請求項４】
前記製本機能が、中とじ仕上げを実行する機能であることを特徴とする請求項１乃至３のいずれか１項に記載のプリンタの制御装置。
【請求項５】
前記許容枚数に係る情報を、前記プリンタから取得する手段を備えたことを特徴とする請求項１乃至４のいずれか１項に記載のプリンタの制御装置。
【請求項６】
前記印刷上限枚数が、前記許容枚数から前記インサータ機能により追加する用紙の枚数を、差し引いた枚数であることを特徴とする請求項１乃至５のいずれか１項に記載のプリンタの制御装置。
【請求項７】
前記複数に分割することの可否を、操作者に確認する手段を備えたことを特徴とする請求項３に記載のプリンタの制御装置。
【請求項８】
複数のプリンタに接続される制御装置であって、
各プリンタが製本機能及びインサータ機能を有しているか否かの情報を取得する手段と、
製本機能及びインサータ機能の双方を有する前記プリンタから、前記製本機能を実行可能な許容枚数を取得する手段と、
操作者による印刷指示が、前記製本機能及び前記インサータ機能の双方の機能を実行する指示か否かを判定する手段と、
前記双方の機能を実行する指示であった場合に、前記許容枚数と、前記インサータ機能により追加する用紙の枚数と、に基づいて、印刷上限枚数を算出する手段と、
前記プリンタによって印刷する印刷枚数が、前記印刷上限枚数を超過しているか否かを判定する手段と、
前記印刷枚数が前記印刷上限枚数を超過している場合に、操作者にこれを通知する手段と、
を備えたことを特徴とするプリンタの制御装置。
【請求項９】
複数のプリンタに接続される制御装置であって、
各プリンタが製本機能及びインサータ機能を有しているか否かの情報を取得する手段と、
製本機能及びインサータ機能の双方を有する前記プリンタから、前記製本機能を実行可能な許容枚数を取得する手段と、
操作者による印刷指示が、前記製本機能及び前記インサータ機能の双方の機能を実行する指示か否かを判定する手段と、
前記双方の機能を実行する指示であった場合に、前記許容枚数と、前記インサータ機能により追加する用紙の枚数と、に基づいて、印刷上限枚数を算出する手段と、
前記プリンタによって印刷する印刷枚数が、前記印刷上限枚数を超過しているか否かを判定する手段と、
前記印刷枚数が前記印刷上限枚数を超過している場合に、前記プリンタへの当該印刷指示に係る印刷命令の出力を中止する手段と、
を備えたことを特徴とするプリンタの制御装置。
【請求項１０】
複数のプリンタに接続される制御装置であって、
各プリンタが、製本機能及びインサータ機能を有しているか否かの情報を取得する手段と、
製本機能及びインサータ機能の双方を有する前記プリンタから、前記製本機能を実行可能な許容枚数を取得する手段と、
操作者による印刷指示が、前記製本機能及び前記インサータ機能の双方の機能を実行する指示か否かを判定する手段と、
前記双方の機能を実行する指示であった場合に、前記許容枚数と、前記インサータ機能により追加する用紙の枚数と、に基づいて、印刷上限枚数を算出する手段と、
前記プリンタによって印刷する印刷枚数が、前記印刷上限枚数を超過しているか否かを判定する手段と、
前記印刷枚数が前記印刷上限枚数を超過している場合に、前記印刷指示に係る印刷データを、複数に分割する手段と、
を備えたことを特徴とするプリンタの制御装置。
【請求項１１】
操作者によって、前記プリンタのうち、製本機能又はインサータ機能の少なくともいずれか一方を有していないプリンタが選択され、かつ、製本機能及びインサータ機能の双方による印刷が指定された場合に、操作者に対して印刷不能を通知する手段を備えたことを特徴とする請求項８乃至１０のいずれか１項に記載のプリンタの制御装置。
【請求項１２】
製本機能及びインサータ機能を備え、外部端末器から制御可能なプリンタであって、
前記外部端末器からの印刷命令が、前記製本機能及び前記インサータ機能の双方の機能を実行する命令か否かを判定する手段と、
前記双方の機能を実行する命令であった場合に、その製本機能で実行可能な許容枚数と、前記印刷命令における前記インサータ機能により追加する用紙の枚数と、に基づいて、印刷上限枚数を算出する手段と、
前記印刷命令における印刷枚数が、前記印刷上限枚数を超過しているか否かを判定する手段と、
前記印刷枚数が前記印刷上限枚数を超過している場合に、前記外部端末器に対して、印刷不能を通知する手段と、
を備えたことを特徴とするプリンタ。
【請求項１３】
製本機能及びインサータ機能を備え、外部端末器から制御可能なプリンタであって、
前記外部端末器からの印刷命令が、前記製本機能及び前記インサータ機能の双方の機能を実行する命令か否かを判定する手段と、
前記双方の機能を実行する命令であった場合に、その製本機能で実行可能な許容枚数と、前記印刷命令における前記インサータ機能により追加する用紙の枚数と、に基づいて、印刷上限枚数を算出する手段と、
前記印刷命令における印刷枚数が、前記印刷上限枚数を超過している場合に、前記印刷命令に係る印刷データを、複数に分割する手段と、
を備えたことを特徴とするプリンタ。
【請求項１４】
前記複数に分割することの可否を操作者に確認させるための情報を、前記外部端末器へ送出する手段を備えたことを特徴とする請求項１３に記載のプリンタ。
【請求項１５】
製本機能及びインサータ機能を有するプリンタの制御方法であって、
操作者による印刷指示が、前記製本機能及び前記インサータ機能の双方の機能を実行する指示か否かを判定する工程と、
前記双方の機能を実行する指示であった場合に、前記製本機能を実行可能な許容枚数と、前記インサータ機能により追加する用紙の枚数と、に基づいて、印刷上限枚数を算出する工程と、
前記印刷指示における印刷枚数が、前記印刷上限枚数を超過しているか否かを判定する工程と、
前記印刷枚数が前記印刷上限枚数を超過している場合に、操作者にこれを通知する工程と、
を含むことを特徴とするプリンタの制御方法。
【請求項１６】
製本機能及びインサータ機能を有するプリンタの制御方法であって、
操作者による印刷指示が、前記製本機能及び前記インサータ機能の双方の機能を実行する指示か否かを判定する工程と、
前記双方の機能を実行する指示であった場合に、前記製本機能を実行可能な許容枚数と、前記インサータ機能により追加する用紙の枚数と、に基づいて、印刷上限枚数を算出する工程と、
前記プリンタによって印刷する印刷枚数が、前記印刷上限枚数を超過しているか否かを判定する工程と、
前記印刷枚数が前記印刷上限枚数を超過している場合に、前記プリンタへの当該印刷指示に係る印刷命令の出力を中止する工程と、
を含むことを特徴とするプリンタの制御方法。
【請求項１７】
製本機能及びインサータ機能を有するプリンタの制御方法であって、
操作者による印刷指示が、前記製本機能及び前記インサータ機能の双方の機能を実行する指示か否かを判定する工程と、
前記双方の機能を実行する指示であった場合に、前記製本機能を実行可能な許容枚数と、前記インサータ機能により追加する用紙の枚数と、に基づいて、印刷上限枚数を算出する工程と、
前記プリンタによって印刷する印刷枚数が、前記印刷上限枚数を超過しているか否かを判定する工程と、
前記印刷枚数が前記印刷上限枚数を超過している場合に、前記印刷指示に係る印刷データを、複数に分割する工程と、
を含むことを特徴とするプリンタの制御方法。
【請求項１８】
前記製本機能が、中とじ仕上げを実行する機能であることを特徴とする請求項１５乃至１７のいずれか１項に記載のプリンタの制御方法。
【請求項１９】
前記許容枚数に係る情報を、前記プリンタから取得する工程を含むことを特徴とする請求項１５乃至１８のいずれか１項に記載のプリンタの制御方法。
【請求項２０】
前記印刷上限枚数が、前記許容枚数から前記インサータ機能により追加する用紙の枚数を、差し引いた枚数であることを特徴とする請求項１５乃至１９のいずれか１項に記載のプリンタの制御方法。
【請求項２１】
前記複数に分割することの可否を、操作者に確認する工程を含むことを特徴とする請求項１７に記載のプリンタの制御方法。
【請求項２２】
複数のプリンタの制御方法であって、
各プリンタが製本機能及びインサータ機能を有しているか否かの情報を取得する工程と、
製本機能及びインサータ機能の双方を有する前記プリンタから、前記製本機能を実行可能な許容枚数を取得する工程と、
操作者による印刷指示が、前記製本機能及び前記インサータ機能の双方の機能を実行する指示か否かを判定する工程と、
前記双方の機能を実行する指示であった場合に、前記許容枚数と、前記インサータ機能により追加する用紙の枚数と、に基づいて、印刷上限枚数を算出する工程と、
前記プリンタによって印刷する印刷枚数が、前記印刷上限枚数を超過しているか否かを判定する工程と、
前記印刷枚数が前記印刷上限枚数を超過している場合に、操作者にこれを通知する工程と、
を含むことを特徴とするプリンタの制御方法。
【請求項２３】
複数のプリンタの制御方法であって、
各プリンタが製本機能及びインサータ機能を有しているか否かの情報を取得する工程と、
製本機能及びインサータ機能の双方を有する前記プリンタから、前記製本機能を実行可能な許容枚数を取得する工程と、
操作者による印刷指示が、前記製本機能及び前記インサータ機能の双方の機能を実行する指示か否かを判定する工程と、
前記双方の機能を実行する指示であった場合に、前記許容枚数と、前記インサータ機能により追加する用紙の枚数と、に基づいて、印刷上限枚数を算出する工程と、
前記プリンタによって印刷する印刷枚数が、前記印刷上限枚数を超過しているか否かを判定する工程と、
前記印刷枚数が前記印刷上限枚数を超過している場合に、前記プリンタへの当該印刷指示に係る印刷命令の出力を中止する工程と、
を含むことを特徴とするプリンタの制御方法。
【請求項２４】
複数のプリンタの制御方法であって、
各プリンタが、製本機能及びインサータ機能を有しているか否かの情報を取得する工程と、
製本機能及びインサータ機能の双方を有する前記プリンタから、前記製本機能を実行可能な許容枚数を取得する工程と、
操作者による印刷指示が、前記製本機能及び前記インサータ機能の双方の機能を実行する指示か否かを判定する工程と、
前記双方の機能を実行する指示であった場合に、前記許容枚数と、前記インサータ機能により追加する用紙の枚数と、に基づいて、印刷上限枚数を算出する工程と、
前記プリンタによって印刷する印刷枚数が、前記印刷上限枚数を超過しているか否かを判定する工程と、
前記印刷枚数が前記印刷上限枚数を超過している場合に、前記印刷指示に係る印刷データを、複数に分割する工程と、
を含むことを特徴とするプリンタの制御方法。
【請求項２５】
操作者によって、前記プリンタのうち、製本機能又はインサータ機能の少なくともいずれか一方を有していないプリンタが選択され、かつ、製本機能及びインサータ機能の双方による印刷が指定された場合に、操作者に対して印刷不能を通知する工程を含むことを特徴とする請求項２２乃至２４のいずれか１項に記載のプリンタの制御方法。
【請求項２６】
製本機能及びインサータ機能を備え、外部端末器から制御可能なプリンタの制御方法であって、
前記外部端末器からの印刷命令が、前記製本機能及び前記インサータ機能の双方の機能を実行する命令か否かを判定する工程と、
前記双方の機能を実行する命令であった場合に、その製本機能で実行可能な許容枚数と、前記印刷命令における前記インサータ機能により追加する用紙の枚数と、に基づいて、印刷上限枚数を算出する工程と、
前記印刷命令における印刷枚数が、前記印刷上限枚数を超過しているか否かを判定する工程と、
前記印刷枚数が前記印刷上限枚数を超過している場合に、前記外部端末器に対して、印刷不能を通知する工程と、
を含むことを特徴とするプリンタの制御方法。
【請求項２７】
製本機能及びインサータ機能を備え、外部端末器から制御可能なプリンタの制御方法であって、
前記外部端末器からの印刷命令が、前記製本機能及び前記インサータ機能の双方の機能を実行する命令か否かを判定する工程と、
前記双方の機能を実行する命令であった場合に、その製本機能で実行可能な許容枚数と、前記印刷命令における前記インサータ機能により追加する用紙の枚数と、に基づいて、印刷上限枚数を算出する工程と、
前記印刷命令における印刷枚数が、前記印刷上限枚数を超過している場合に、前記印刷命令に係る印刷データを、複数に分割する工程と、
を含むことを特徴とするプリンタの制御方法。
【請求項２８】
前記複数に分割することの可否を操作者に確認させるための情報を、前記外部端末器へ送出する工程を含むことを特徴とする請求項２７に記載のプリンタの制御方法。
【請求項２９】
請求項１５乃至請求項２８のいずれか１項に記載のプリンタの制御方法をコンピュータに実行させるプログラムを記録した記憶媒体。
【手続補正２】
【補正対象書類名】明細書
【補正対象項目名】００３６
【補正方法】変更
【補正の内容】
【００３６】
また、本発明によれば、上記のプリンタの制御方法をコンピュータに実行させるプログラムを記録した記憶媒体が提供される。
【手続補正３】
【補正対象書類名】明細書
【補正対象項目名】００３７
【補正方法】削除
【補正の内容】
【手続補正４】
【補正対象書類名】明細書
【補正対象項目名】００３８
【補正方法】削除
【補正の内容】
【手続補正５】
【補正対象書類名】明細書
【補正対象項目名】００３９
【補正方法】削除
【補正の内容】
【手続補正６】
【補正対象書類名】明細書
【補正対象項目名】００４０
【補正方法】削除
【補正の内容】
【手続補正７】
【補正対象書類名】明細書
【補正対象項目名】００４１
【補正方法】削除
【補正の内容】
【手続補正８】
【補正対象書類名】明細書
【補正対象項目名】００４２
【補正方法】削除
【補正の内容】
【手続補正９】
【補正対象書類名】明細書
【補正対象項目名】００４３
【補正方法】削除
【補正の内容】
【手続補正１０】
【補正対象書類名】明細書
【補正対象項目名】００４４
【補正方法】削除
【補正の内容】
【手続補正１１】
【補正対象書類名】明細書
【補正対象項目名】００４５
【補正方法】削除
【補正の内容】
【手続補正１２】
【補正対象書類名】明細書
【補正対象項目名】００４６
【補正方法】削除
【補正の内容】
【手続補正１３】
【補正対象書類名】明細書
【補正対象項目名】００４７
【補正方法】削除
【補正の内容】
【手続補正１４】
【補正対象書類名】明細書
【補正対象項目名】００４８
【補正方法】削除
【補正の内容】
【手続補正１５】
【補正対象書類名】明細書
【補正対象項目名】００４９
【補正方法】削除
【補正の内容】